(57)【特許請求の範囲】
【請求項１】
建物の壁下地に縦胴縁が固定され、該縦胴縁に外壁材が固定されて、前記壁下地の表面と前記外壁材の裏面との間に通気空間が形成された通気壁用の土台水切り材であって、
建物の壁下地に取り付けられる壁取付片と、
前記壁取付片から建物の外側に向かって略水平に折曲され、第一の外部通気穴を有する繋ぎ片と、
前記繋ぎ片の端部から前記壁取付片との間に前記縦胴縁が挿入できる空間分だけ隔てて起立され、前記縦胴縁に固定される縦胴縁取付片と、
前記縦胴縁取付片に形成され、前記外壁材の下端部を載置し得るスタータ片と、
前記壁取付片の先端から該壁取付片に沿って折り返され、更に前記繋ぎ片の下方で、建物の外側に向かって折曲される傾斜片と、
前記傾斜片の端部から垂下する水切り片と、
前記水切り片の下部から建物の内側に向かって折曲され、第二の外部通気穴を有する底片と、
を有して、一体成形され、
前記傾斜片と、前記底片との間に開口部を有し、
前記縦胴縁取付片に着脱可能な装着部と、
前記外壁材の下端部に設けられた被係止部に係止し得る係止部と、
を有する固定金具が装着可能に設けられたことを特徴とする通気壁用の土台水切り材。
【請求項２】
前記外壁材の下端部に設けられた異なる第一、第二被係止部に対応して、前記固定金具の一方の面に前記第一被係止部に係止し得る上向きの第一係止部と、前記縦胴縁取付片に着脱可能な第一装着部と、が設けられ、
更に、前記固定金具の他方の面に前記第二被係止部に係止し得る下向きの第二係止部と、前記縦胴縁取付片に着脱可能な第二装着部と、が設けられ、
前記固定金具を回転させて前記第一、第二被係止部に対応して、前記固定金具の前記第一、第二係止部と、前記第一、第二装着部と、が選択可能に構成されたことを特徴とする請求項１に記載の通気壁用の土台水切り材。
【請求項３】
請求項１または請求項２に記載の通気壁用の土台水切り材を備えた通気壁用土台構造であって、
前記通気壁用の土台水切り材の前記壁取付片を建物の壁下地に固定し、
前記通気壁用の土台水切り材の前記壁取付片と前記繋ぎ片と前記縦胴縁取付片とにより形成された空間内に前記縦胴縁の下端部を挿入すると共に、前記縦胴縁取付片と、前記縦胴縁と、前記壁取付片とを一体的に建物の壁下地に固定し、
前記通気壁用の土台水切り材の前記繋ぎ片と前記傾斜片との間から該繋ぎ片に設けられた第一の外部通気穴を介して前記壁下地の表面と、前記外壁材の裏面と、前記縦胴縁との間に形成された通気空間に通気が出来、
前記通気壁用の土台水切り材の前記底片に設けられた第二の外部通気穴を介して前記傾斜片と前記底片との間に設けた開口部を介して建物の床下に通気が出来るように構成したことを特徴とする通気壁用土台構造。
【発明の詳細な説明】
【技術分野】
【０００１】
本発明は、建物の壁下地に縦胴縁が固定され、該縦胴縁に外壁材が固定されて、前記壁下地の表面と前記外壁材の裏面との間に通気空間が形成された通気壁用の土台水切り材、及びそれを備えた通気壁用土台構造に関するものである。
【背景技術】
【０００２】
従来、土台水切りから建物の壁体内或いは床下に通気を取り入れる技術や土台水切りに外壁材の一段目を装着するスタータを付加した技術が例えば特許文献１〜５により提案されている。
【先行技術文献】
【特許文献】
【０００３】
【特許文献１】特開２０１１−２３６７０４号公報
【特許文献２】実用新案登録第３１２９２２１号公報
【特許文献３】特開平１０−０４６６８７号公報
【特許文献４】特開平０８−１８４１５７号公報
【特許文献５】特開２００２−０６１３０６号公報
【発明の概要】
【発明が解決しようとする課題】
【０００４】
しかしながら、特許文献１の技術では、底片に設けられた外部通気穴から侵入した空気は、外壁材と縦胴縁と壁下地との間の壁体内方向と、床下の土台方向とに分かれて通気を行なうため通気効率が悪かった。また、縦胴縁取付片の上部に、外壁材の下端部を支持するスタータ片が配置されるため該縦胴縁取付片を縦胴縁を介在させて壁下地に固定する固定具の頭部が露出してしまうため意匠性が悪かった。また、スタータ片に外壁材の下端部に設けた切り込み部を係合して載置する構成であったため該切り込み部の形状に合わせて複数種類の水切り材を用意しておく必要がありコスト高となっていた。
【０００５】
また、特許文献２の技術では、土台水切りと、外壁材用スタータ金具とが別部材で構成されるため取付作業が面倒であった。また、特許文献３の技術では、土台水切りと、外壁材用スタータとが一部材で構成されるため取付作業が容易ではあるが、縦胴縁の外側に土台水切り材が固定される構成とする点では、壁下地の表面と外壁材の裏面との間で縦胴縁により構成される通気空間内に侵入した雨水の排出に考慮すると、土台水切りの立ち上がり固定部を一般に防水層とする縦胴縁と壁下地表面との間に取り付けた方が好ましく、このような構成とすると、壁下地表面に固定される土台水切り材の固定部と、外壁材用スタータとの離間距離が大きくなり外壁材の下部を支持するスタータの強度が低下してしまうという問題があった。
【０００６】
また、特許文献４の技術では、外壁材用スタータを有さず、胴縁の裏面側に土台水切り部材を設けたり、胴縁の表裏面の両側を挟み込んだ土台水切り部材を設けたりしているが、胴縁の表裏面の両側を挟み込んだ土台水切り部材では形状が袋状になってしまうためベンダー加工による成形、或いはロールフォーミング成形の場合等のプレスによる切断が困難となり特殊な加工技術を要するといった問題があった。
【０００７】
また、特許文献５の技術では、底片の外部通気穴から床下通気と、外壁材と縦胴縁と壁下地との間の通気とを行なう構成であるため通気量を確保するために底片の外部通気穴が大きくなる。そのため該外部通気穴から草木や昆虫や小動物等が進入し易い。
【０００８】
本発明は前記課題を解決するものであり、その目的とするところは、通気性能、意匠性に優れ、汎用性の高い通気壁用の土台水切り材及びこれを備えた通気壁用土台構造を提供せんとするものである。
【課題を解決するための手段】
【０００９】
前記目的を達成するための本発明に係る通気壁用の土台水切り材の代表的な構成は、建物の壁下地に縦胴縁が固定され、該縦胴縁に外壁材が固定されて、前記壁下地の表面と前記外壁材の裏面との間に通気空間が形成された通気壁用の土台水切り材であって、建物の壁下地に取り付けられる壁取付片と、前記壁取付片から建物の外側に向かって略水平に折曲され、第一の外部通気穴を有する繋ぎ片と、前記繋ぎ片の端部から前記壁取付片との間に前記縦胴縁が挿入できる空間分だけ隔てて起立され、前記縦胴縁に固定される縦胴縁取付片と、前記縦胴縁取付片に形成され、前記外壁材の下端部を載置し得るスタータ片と、前記壁取付片の先端から該壁取付片に沿って折り返され、更に前記繋ぎ片の下方で、建物の外側に向かって折曲される傾斜片と、前記傾斜片の端部から垂下する水切り片と、前記水切り片の下部から建物の内側に向かって折曲され、第二の外部通気穴を有する底片と、を有して、一体成形され、前記傾斜片と、前記底片との間に開口部を有し、前記縦胴縁取付片に着脱可能な装着部と、前記外壁材の下端部に設けられた被係止部に係止し得る係止部と、を有する固定金具が装着可能に設けられたことを特徴とする。
【００１０】
また、本発明に係る通気壁用土台構造は、前記通気壁用の土台水切り材を備えた通気壁用土台構造であって、前記通気壁用の土台水切り材の前記壁取付片を建物の壁下地に固定し、前記通気壁用の土台水切り材の前記壁取付片と前記繋ぎ片と前記縦胴縁取付片とにより形成された空間内に前記縦胴縁の下端部を挿入すると共に、前記縦胴縁取付片と、前記縦胴縁と、前記壁取付片とを一体的に建物の壁下地に固定し、前記通気壁用の土台水切り材の前記繋ぎ片と前記傾斜片との間から該繋ぎ片に設けられた第一の外部通気穴を介して前記壁下地の表面と、前記外壁材の裏面と、前記縦胴縁との間に形成された通気空間に通気が出来、前記通気壁用の土台水切り材の前記底片に設けられた第二の外部通気穴を介して前記傾斜片と前記底片との間に設けた開口部を介して建物の床下に通気が出来るように構成したことを特徴とする。
【発明の効果】
【００１１】
上記構成によれば、繋ぎ片に第一の外部通気穴を設け、底片に第二の外部通気穴を設けたことで、外壁材と縦胴縁と壁下地との間の壁体内方向と、床下の土台方向とにそれぞれ独立した通気経路が確保でき、通気効率の向上を図ることが出来る。また、外壁材の下端部を支持するスタータ片が縦胴縁取付片の下部に配置されるため該縦胴縁取付片を縦胴縁を介在させて壁下地に固定する固定具の頭部が外壁材により覆われるため意匠性に優れる。また、スタータ片上に外壁材の下端部を載置する他に縦胴縁取付片に固定金具を装着可能とし、該固定金具は回転させることで二種類の係止部が選択でき、一つの固定金具で外壁材の下端部に設けた異なる形状の切り込み部に適用出来るため汎用性に優れる。
【００１２】
また、通気壁用の土台水切り材は、例えば、スチール、ステンレス、アルミニウム等の一枚の金属板からベンダー加工、ロールフォーミング等により容易に成形出来る。繋ぎ片に設けられる第一の外部通気穴と、底片に設けられる第二の外部通気穴とは、切り板の状態で穴開け加工をすることにより容易に製作出来る。また、縦胴縁が挿入出来る空間と、床下に通気が出来るように開口させた開口部との二箇所の開放形状を有するため、全体の形状自体を極端な袋形状とすることを避けることが出来、ベンダー加工、或いはロールフォーミング成形の場合等のプレスによる切断が容易となる。壁取付片と縦胴縁取付片との間に縦胴縁の下端部を挿入させ、繋ぎ片からなる水切り自体を一般に防水層となる縦胴縁の下に取り付けることが出来るので、壁下地の表面と外壁材の裏面との間で縦胴縁により構成される通気空間内に侵入した雨水を繋ぎ片に設けた第一の外部通気穴を介して容易に排水させることが出来る。また、スタータ片が設けられる胴縁取付片を縦胴縁を介在して壁下地（建物躯体）に固定することが出来、スタータ片の強度を向上させることが出来る。
【００１３】
本発明に係る通気壁用土台構造によれば、通気壁用の土台水切り材の壁取付片を建物の壁下地に釘やビス等の固定具により固定し、通気壁用の土台水切り材の壁取付片と繋ぎ片と縦胴縁取付片とにより形成された空間内に縦胴縁の下端部を挿入し、建物の外側から縦胴縁取付片と、縦胴縁と、壁取付片とを一体的に建物の壁下地に釘やビス等の固定具により固定する。最下段となる一段目の外壁材の下部をスタータ片に載置して装着し、順次葺成して外壁材を縦胴縁に固定する。壁下地の表面と外壁材の裏面との間で縦胴縁により構成される通気空間内に侵入した雨水は繋ぎ片により一旦受けて第一の外部通気穴から傾斜片上に排水された後、該傾斜片に沿って外部に排水される。
【００１４】
通気壁用の土台水切り材の繋ぎ片と、傾斜片との間から該繋ぎ片に設けられた第一の外部通気穴を介して壁下地の表面と外壁材の裏面と縦胴縁との間に形成された通気空間内に通気が出来る。更に、通気壁用の土台水切り材の底片に設けた第二の外部通気穴と、傾斜片と該底片との間に設けた開口部とを介して建物の床下に通気が出来る。
【００１５】
また、基礎表面にモルタル仕上げを行う場合には、通気壁用の土台水切り材の底片を定規としてモルタル上面の仕上げを容易に行うことが出来る。
【図面の簡単な説明】
【００１６】
【図１】本発明に係る通気壁用の土台水切り材を備えた通気壁用土台構造を示す断面説明図である。
【図２】（ａ）は本発明に係る通気壁用の土台水切り材の構成を示す斜視説明図、（ｂ）は本発明に係る通気壁用の土台水切り材の構成を示す側面説明図である。
【図３】（ａ）は本発明に係る通気壁用の土台水切り材の構成を示す正面図、（ｂ）は本発明に係る通気壁用の土台水切り材の構成を示す側面図、（ｃ）は本発明に係る通気壁用の土台水切り材の構成を示す底面図である。
【図４】（ａ），（ｂ）は本発明に係る通気壁用の土台水切り材の縦胴縁取付片に装着した固定金具の第一、第二係止部により外壁材の下端部に設けられた異なる第一、第二被係止部を選択的に係止した様子を示す断面説明図である。
【図５】（ａ）は本発明に係る通気壁用の土台水切り材の縦胴縁取付片に装着し得る固定金具の構成を示す斜視説明図、（ｂ）は（ａ）のＡ−Ａ断面図である。
【発明を実施するための形態】
【００１７】
図１〜図５により本発明に係る通気壁用の土台水切り材を備えた通気壁用土台構造の一実施形態を具体的に説明する。図１〜図３において、１は建物の壁下地２に縦胴縁３が固定され、該縦胴縁３に外壁材４が固定されて、該壁下地２の表面と外壁材４の裏面との間に通気空間５が形成された通気壁用の土台水切り材である。
【００１８】
土台水切り材１は、建物の壁下地２に釘やビス等の固定具６により取り付けられる壁取付片１ａと、該壁取付片１ａの下部から建物の外側（図１の左側）に向かって略水平に折曲され、第一の外部通気穴１ｂ１を有する繋ぎ片１ｂと、該繋ぎ片１ｂの端部から壁取付片１ａとの間に縦胴縁３が挿入出来る空間分だけ隔てて起立され、該縦胴縁３に固定される縦胴縁取付片１ｃと、該縦胴縁取付片１ｃと、繋ぎ片１ｂとの間に形成され、外壁材４の下端部４ａを載置し得るスタータ片１ｄと、壁取付片１ａの先端から該壁取付片１ａに沿って折り返され、更に繋ぎ片１ｂの下方で所定の水勾配を有して建物の外側（図１の左側）に向かって折曲される傾斜片１ｆと、該傾斜片１ｆの端部から垂下する水切り片１ｇと、該水切り片１ｇの下部から建物の内側（図１の右側）に向かって折曲され、第二の外部通気穴１ｈ１を有する底片１ｈとを有し、これらの各片１ａ〜１ｄ，１ｆ〜１ｈは一体成形される。傾斜片１ｆと、底片１ｈとの間には建物の内側（図１の右側）に開口部７を有する。
【００１９】
図２（ａ）に示すように、繋ぎ片１ｂには、長手方向に所定ピッチで、該繋ぎ片１ｂを貫通する丸穴からなる第一の外部通気穴１ｂ１が設けられている。一方、底片１ｈには、長手方向に所定ピッチで、該底片１ｈを貫通する方形状穴からなる第二の外部通気穴１ｈ１が設けられている。
【００２０】
土台水切り材１は、例えば、スチール、ステンレス、アルミニウム等の一枚の金属板からベンダー加工、ロールフォーミング成形等により容易に成形出来る。繋ぎ片１ｂに設けられる第一の外部通気穴１ｂ１と、底片１ｈに設けられる第二の外部通気穴１ｈ１は、切り板の状態で穴開け加工をすることにより容易に製作出来る。
【００２１】
土台水切り材１は、縦胴縁３が挿入出来る壁取付片１ａと、繋ぎ片１ｂと、縦胴縁取付片１ｃとにより形成される空間と、床下に通気が出来るように開口させた開口部７との二箇所の開放形状を有するため、全体の形状自体を極端な袋形状とすることを避けることが出来、ベンダー加工、或いは、ロールフォーミング成形の場合等のプレスによる切断が容易となる。
【００２２】
図１に示すように、土台水切り材１を備えた通気壁用土台構造12としては、該土台水切り材１の壁取付片１ａを建物の壁下地２に釘やビス等の固定具６により固定する。壁下地２の表面には土台水切り材１の壁取付片１ａにオーバーラップするように防水シート11が敷設される。そして、土台水切り材１の壁取付片１ａと、繋ぎ片１ｂと、縦胴縁取付片１ｃとにより形成された空間内に縦胴縁３の下端部を挿入する。そして、建物の外側（図１の左側）から縦胴縁取付片１ｃと、縦胴縁３と、壁取付片１ａとを一体的に建物の壁下地２に釘やビス等の固定具６により固定する。
【００２３】
これにより土台水切り材１の繋ぎ片１ｂと、傾斜片１ｆとの間に形成された外部空間から該繋ぎ片１ｂに設けられた第一の外部通気穴１ｂ１を介して建物の壁下地２の表面と、外壁材４の裏面と、所定のピッチ間隔を有して離間して図１の上下方向に配置された複数の縦胴縁３との間に形成された通気空間５に通気が出来る。
【００２４】
また、土台水切り材１の底片１ｈに設けられた第二の外部通気穴１ｈ１を介して傾斜片１ｆと、底片１ｈとの間に設けた開口部７と、建物の基礎８に設けられた換気穴９とを介して建物の床下に通気が出来るように構成される。
【００２５】
これにより土台水切り材１の繋ぎ片１ｂに第一の外部通気穴１ｂ１を設け、底片１ｈに第二の外部通気穴１ｈ１を設けたことで、外壁材４と縦胴縁３と壁下地２との間の壁体内方向と、床下の土台方向とにそれぞれ独立した通気経路が確保でき、特許文献１との比較において通気効率の向上を図ることが出来る。
【００２６】
図１に示すように、最下段となる一段目の外壁材４の下端部４ａをスタータ片１ｄ上に載置して装着し、該外壁材４を縦胴縁３に固定する。順次上段に外壁材４を葺成して壁下地２の全面に亘って外壁材４を縦胴縁３に固定する。
【００２７】
本実施形態では、外壁材４の下端部４ａを支持するスタータ片１ｄが縦胴縁取付片１ｃの下部に配置されるため該縦胴縁取付片１ｃを縦胴縁３を介在させて壁下地２に固定する固定具６の頭部が外壁材４により覆われるため意匠性に優れる。
【００２８】
尚、上段の外壁材４の固定方法については、縦胴縁３を省略して壁下地２に図示しない固定金具を介して上段の外壁材４を固定することでも良いし、縦胴縁３に図示しない固定金具を介して上段の外壁材４を固定することでも良い。
【００２９】
土台水切り材１は、壁取付片１ａと縦胴縁取付片１ｃとの間に縦胴縁３の下端部を挿入させ、繋ぎ片１ｂからなる水切り自体を一般に防水層となる縦胴縁３の下に取り付けることが出来るので、壁下地２の表面と外壁材４の裏面との間で縦胴縁３により構成される通気空間５内に侵入した雨水を繋ぎ片１ｂに設けた第一の外部通気穴１ｂ１を介して容易に排水させることが出来る。
【００３０】
図１に示すように、基礎８の表面にモルタル10による仕上げを行う場合には、土台水切り材１の底片１ｈを定規としてモルタル10の上面10ａの仕上げを容易に行うことが出来る。
【００３１】
図４及び図５は、土台水切り材１の縦胴縁取付片１ｃに装着可能な固定金具21の構成を示す。図４及び図５に示す固定金具21は、図４（ａ），（ｂ）に示す土台水切り材１の縦胴縁取付片１ｃに着脱可能な第一、第二装着部22，23が設けられる。第一、第二装着部22，23は、図５（ａ），（ｂ）に示すように、固定金具21の本体片21ａを互いに反対方向に折り返して湾曲部21ｂ，21ｃを形成したものである。更に該湾曲部21ｂ，21ｃから挟持片21ｄ，21ｅがそれぞれ延長される。図４（ａ），（ｂ）に示すように、固定金具21の本体片21ａと、該挟持片21ｄ，21ｅとの間に土台水切り材１の縦胴縁取付片１ｃを挿入することで、湾曲部21ｂ，21ｃと挟持片21ｄ，21ｅとの弾性力により縦胴縁取付片１ｃが挟持され、該縦胴縁取付片１ｃの上端部が該湾曲部21ｂ，21ｃの内周面に当接して固定金具21が土台水切り材１の縦胴縁取付片１ｃに装着支持される。
【００３２】
更に図５（ａ），（ｂ）に示すように、該挟持片21ｄ，21ｅから断面Ｊ字形状の第一、第二係止部21ｆ，21ｇがそれぞれ延長される。該第一、第二係止部21ｆ，21ｇは、図４（ａ），（ｂ）に示すように、外壁材４の下端部４ａに設けられた断面Ｖ字形状の切り込み部からなる第一、第二被係止部４ｂ，４ｃに係止し得る形状で構成されている。
【００３３】
本実施形態では、図４（ａ），（ｂ）に示す外壁材４の下端部４ａに設けられた異なる形状の第一、第二被係止部４ｂ，４ｃに対応して、図４（ａ）に示す固定金具21の一方の面に外壁材４の下端部４ａに設けられた第一被係止部４ｂに係止し得る図５（ｂ）の上向きの第一係止部21ｆと、土台水切り材１の縦胴縁取付片１ｃに着脱可能な第一装着部22と、が設けられる。該第一装着部22は、湾曲部21ｂと挟持片21ｄとにより構成される。
【００３４】
更に、図４（ｂ）に示す固定金具21の他方の面に外壁材４の下端部４ａに設けられた第二被係止部４ｃに係止し得る図５（ｂ）の下向きの第二係止部21ｇと、土台水切り材１の縦胴縁取付片１ｃに着脱可能な第二装着部23と、が設けられる。該第二装着部23は、湾曲部21ｃと挟持片21ｅとにより構成される。
【００３５】
そして、図５（ａ）に示す回転軸24を中心に固定金具21を回転させて、図４（ａ），（ｂ）に示すように、外壁材４の下端部４ａに設けられた互いに異なる断面Ｖ字形状の切り込み部からなる第一、第二被係止部４ｂ，４ｃに対応して、該固定金具21の第一、第二係止部21ｆ，21ｇと、第一、第二装着部22，23と、が選択可能に構成される。
【００３６】
これにより図１に示すように、土台水切り材１のスタータ片１ｄ上に外壁材４の平坦面からなる下端部４ａを載置することも出来る。更に、図４（ａ），（ｂ）に示すように、土台水切り材１の縦胴縁取付片１ｃに図５（ａ），（ｂ）に示す固定金具21の第一、第二装着部22，23を装着可能とし、該固定金具21は、図５（ａ）に示す回転軸24を中心に回転させることで、図４（ａ），（ｂ）に示すように、外壁材４の下端部４ａに設けられた互いに異なる断面Ｖ字形状の切り込み部からなる第一、第二被係止部４ｂ，４ｃ（異なる二種類の係止部）が選択でき、一つの固定金具21で外壁材４の下端部４ａに設けた異なる形状の切り込み部からなる第一、第二被係止部４ｂ，４ｃに適用出来るため汎用性に優れる。
【産業上の利用可能性】
【００３７】
本発明の活用例として、建物の壁下地に縦胴縁が固定され、該縦胴縁に外壁材が固定されて、該壁下地の表面と外壁材の裏面との間に通気空間が形成された通気壁用の土台水切り材、及びそれを備えた通気壁用土台構造に適用出来る。
【符号の説明】
【００３８】
１    …土台水切り材
１ａ  …壁取付片
１ｂ  …繋ぎ片
１ｂ１ …第一の外部通気穴
１ｃ  …縦胴縁取付片
１ｄ  …スタータ片
１ｆ  …傾斜片
１ｇ  …水切り片
１ｈ  …底片
１ｈ１ …第二の外部通気穴
２    …壁下地
３    …縦胴縁
４    …外壁材
４ａ  …下端部
４ｂ  …第一被係止部
４ｃ  …第二被係止部
５    …通気空間
６    …固定具
７    …開口部
８    …基礎
９    …換気穴
10    …モルタル
10ａ  …上面
11    …防水シート
12    …通気壁用土台構造
21    …固定金具
21ａ  …本体片
21ｂ  …湾曲部
21ｄ，21ｅ …挟持片
21ｆ  …第一係止部
21ｇ  …第二係止部
22    …第一装着部
23    …第二装着部
24    …回転軸
【図１】
0006487174.tif 000002
【図２】
0006487174.tif 000003
【図３】
0006487174.tif 000004
【図４】
0006487174.tif 000005
【図５】
0006487174.tif 000006